(57)【要約】【課題】液化ガスや圧縮ガスを使用せず、容器の腐食が防止でき、容器が転がりにくく、内容液をミスト状に投与できるＮＳＡＩＤｓ含有スプレー剤を提供すること。【解決手段】ＮＳＡＩＤｓ含有の内容液を、底面と平行に切断した際の胴部の水平断面が長円形状または略長方形状であり、かつ合成樹脂製のボトル本体と液化ガスや圧縮ガスを使用せずに内容液をミスト状に噴霧可能なディスペンサーにより構成されるスプレー容器に充填することで、液化ガスや圧縮ガスを使用せず、容器の腐食が防止でき、容器が転がりにくく、内容液をミスト状に投与できるＮＳＡＩＤｓ含有スプレー剤に関するものである。【選択図】図１
2017065717.tif 000002
【特許請求の範囲】
【請求項１】
液化ガスや圧縮ガスを使用せず、容器の腐食が防止でき、容器が転がりにくく、内容液をミスト状に投与できるＮＳＡＩＤｓ含有スプレー剤であって、
前記スプレー剤は、合成樹脂製のボトル本体および液化ガスや圧縮ガスを使用せずに内容液をミスト状に噴霧可能なディスペンサーからなり、
該ボトル本体は、内側に内容液の充填空間と、上端に形成され開口を有する首部を有し、かつ該ボトル本体の胴部を底面と平行に切断した際の水平断面の重心を通る長径と短径の比が最大で１．３〜１０．０の長円形状、または長辺と短辺の比が最大で１．３〜１０．０の略長方形状であることを特徴とするＮＳＡＩＤｓ含有スプレー剤。
【請求項２】
前記合成樹脂が、ポリエチレン、ポリプロピレン、ポリエステルまたはポリスチレンのいずれか一種以上である請求項１に記載のＮＳＡＩＤｓ含有スプレー剤。
【請求項３】
前記ボトル本体の胴部の外周が最大で１００〜１５０ｍｍであり、かつ、該ボトル本体の底面から首部までの高さが５０〜２００ｍｍである請求項１〜２のいずれかに記載のＮＳＡＩＤｓ含有スプレー剤。
【請求項４】
前記ディスペンサーが、エアポンプ式である請求項１〜３のいずれかに記載のＮＳＡＩＤｓ含有スプレー剤。
【発明の詳細な説明】
【技術分野】
【０００１】
本発明は非ステロイド性消炎鎮痛薬（Ｎｏｎ−Ｓｔｅｒｏｉｄａｌ  Ａｎｔｉ−Ｉｎｆｌａｍｍａｔｏｒｙ  Ｄｒｕｇｓ：ＮＳＡＩＤｓ）を含有する内容液を、液化ガスや圧縮ガスを使用せず、容器の腐食が防止でき、容器が転がりにくく、内容液をミスト状に投与可能な、外用のＮＳＡＩＤｓ含有スプレー剤に関する。さらに詳しくは、本発明は、ＮＳＡＩＤｓを含有する内容液を、合成樹脂製のボトル本体と液化ガスや圧縮ガスを使用せずにミスト状に噴霧可能なディスペンサーからなるスプレー容器に充填することにより、液化ガスや圧縮ガスを使用せず、容器の腐食が防止でき、容器が転がりにくく、内容液をミスト状に投与可能な、ＮＳＡＩＤｓ含有スプレー剤に関するものである。
【背景技術】
【０００２】
従来、スポーツ時における打撲や捻挫、筋肉痛、肩こりに伴う肩の痛み、腰痛、関節痛、肘の痛みなどの局所の炎症症状を緩解することを目的として、非ステロイド性消炎鎮痛薬（Ｎｏｎ−Ｓｔｅｒｏｉｄａｌ  Ａｎｔｉ−Ｉｎｆｌａｍｍａｔｏｒｙ  Ｄｒｕｇｓ：ＮＳＡＩＤｓ）を皮膚から吸収させる製品が多く販売されている。これらの製品には、パップ剤やテープ剤などの貼付剤や、軟膏剤、クリーム剤、液剤などの塗布剤があり、剤形の特長から目的に応じて使い分けられている。
【０００３】
貼付剤は、患部に長時間貼付できるため、薬効の持続性に優れた製剤としてよく用いられている。塗布剤は、展延性に優れ、投与する部位の形状にかかわらず投与できる利点がある。その中でも、液剤は、軟膏剤やクリーム剤よりも粘性が低いためべとつき感が抑制された剤形である。また、液剤は、アルコールや水が主成分であることから、液剤の使用時には、気化熱により少なからず清涼感が得られるため夏季に好まれ、かつ炎症部位を冷やす効果が期待できる。さらに、液剤は、内容液を手にとらずに吐出部を介して患部に投与できるよう製品形態を工夫することで、手を汚すことなく投与できる利点がある。しかし、吐出部が円形などの固有の形状を有するため、液剤を関節のような凹凸部へ投与する際は、内容液を塗り広げにくい課題がある。また、このような液剤は、吐出部と皮膚が接触するため、皮膚の常在細菌などにより吐出部が汚染されるだけでなく、炎症部位への投与時に圧痛を伴う課題がある。
【０００４】
一方、手や吐出部を介することなく、離れた位置から炎症部位に内容液を投与できる剤形としては、ＮＳＡＩＤｓ含有のスプレー剤があり、液化ガスや圧縮ガスを使用したエアゾール剤が多く販売されている。エアゾール剤は、液化ガスや圧縮ガスを使用し、これらと共に内容液を離れた位置から所望する患部に向かって噴霧できるため、手や吐出部が汚染されず、患部の形状にかかわらず投与しやすく、かつ、圧痛を伴わない利点がある。また、エアゾール剤を使用する際は、ガスと共に内容液をミスト状に噴射できるため、液状に噴射するよりも患部に内容液が集中せず、液だれが起こりにくくなる。さらに、内容液が噴霧された時に生じる液滴は、表面積が大きいため気化しやすくなっている。そのため、エアゾール剤は、スポーツ時の打撲や捻挫、筋肉痛などの症状に対して、炎症部位を冷やす効果も期待できることから夏季に汎用される剤形である。このように、ミスト状に噴霧できるエアゾール剤の有用性は、使用上および治療上の観点から着目されている。
【０００５】
しかし、エアゾール剤は、液化ガスや圧縮ガスを使用しているため、高温環境下での保管による容器の破裂や患部の凍傷など、従来からその保管または使用時の危険性が指摘されており、特に夏季においてはこれらの危険性は増大する。また、エアゾール剤で使用される容器は一般的に金属製で円筒形が汎用されているが、大気中の水分などにより金属が腐食しやすく、円筒形のため転がりやすい形状である。そのため、金属が腐食した際は容器が脆くなり内容液が滲出し、容器が転がった際は捻挫や筋肉痛などの痛みを伴っている使用者が製剤を拾うために歩き回り、更なる苦痛を与える恐れがある。
エアゾール剤で金属を使用せず腐食を防止することができる技術として、特許文献１に示すように、ポリエチレンテレフタレートなどを使用したプラスチック容器が開発されているが、円筒形であるため転がりやすい課題は解決されていない。
【０００６】
そこで、液化ガスや圧縮ガスを使用せず、容器の腐食が防止でき、容器が転がりにくく、内容液をミスト状に投与できるＮＳＡＩＤｓ含有スプレー剤が望まれていた。
【先行技術文献】
【特許文献】
【０００７】
【特許文献１】特開２００２−２９５８１号公報
【発明の概要】
【発明が解決しようとする課題】
【０００８】
本発明の目的は、上述の状況を鑑みてなされたもので、液化ガスや圧縮ガスを使用せず、容器の腐食が防止でき、容器が転がりにくく、内容液をミスト状に投与できるＮＳＡＩＤｓ含有スプレー剤を提供することである。
【課題を解決するための手段】
【０００９】
本発明者らは、上述の課題を解決すべく鋭意検討した結果、ＮＳＡＩＤｓを含有する内容液を、底面と平行に切断した際の胴部の水平断面が長円形状または略長方形状であり、かつ合成樹脂製のボトル本体と液化ガスや圧縮ガスを使用せずに内容液をミスト状に噴霧可能なディスペンサーにより構成されるスプレー容器に充填することで、液化ガスや圧縮ガスを使用せず、容器の腐食が防止でき、容器が転がりにくく、内容液をミスト状に投与できることを見出し、本発明を完成するに至った。
すなわち、本発明は以下の（１）〜（４）に示したものである。
（１）液化ガスや圧縮ガスを使用せず、容器の腐食が防止でき、容器が転がりにくく、内容液をミスト状に投与できるＮＳＡＩＤｓ含有スプレー剤であって、
前記スプレー剤は、合成樹脂製のボトル本体および液化ガスや圧縮ガスを使用せずに内容液をミスト状に噴霧可能なディスペンサーからなり、
該ボトル本体は、内側に内容液の充填空間と、上端に形成され開口を有する首部を有し、かつ該ボトル本体の胴部を底面と平行に切断した際の水平断面の重心を通る長径と短径の比が最大で１．３〜１０．０の長円形状または長辺と短辺の比が最大で１．３〜１０．０の略長方形状であることを特徴とするＮＳＡＩＤｓ含有スプレー剤。
（２）前記合成樹脂が、ポリエチレン、ポリプロピレン、ポリエステルまたはポリスチレンのいずれか一種以上である上記（１）に記載のＮＳＡＩＤｓ含有スプレー剤。
（３）前記ボトル本体の胴部の外周が最大で１００〜１５０ｍｍであり、かつ、該ボトル本体の底面から首部までの高さが５０〜２００ｍｍである上記（１）〜（２）のいずれかに記載のＮＳＡＩＤｓ含有スプレー剤。
（４）前記ディスペンサーが、エアポンプ式である上記（１）〜（３）のいずれかに記載のＮＳＡＩＤｓ含有スプレー剤。
【発明の効果】
【００１０】
以上述べたように、本発明は、液化ガスや圧縮ガスを使用せず、容器の腐食が防止でき、容器が転がりにくく、内容液をミスト状に投与できるＮＳＡＩＤｓ含有スプレー剤を提供することができる。
【図面の簡単な説明】
【００１１】
【図１】本発明のＮＳＡＩＤｓ含有スプレー剤の概要図を示した図である。
【図２】ボトル本体の正面図である。
【図３】ボトル本体の正面図である。
【図４】長円形状ボトル本体の水平断面図である。
【図５】略長方形状ボトル本体の水平断面図である。
【図６】長円形状ボトル本体の上面図である。
【図７】略長方形状ボトル本体の上面図である。
【発明を実施するための形態】
【００１２】
以下、本発明のＮＳＡＩＤｓ含有スプレー剤を詳細に説明する。なお、本明細書に記載の例示は、本発明を特に限定するものではない。
【００１３】
本発明の「転がりにくい」とは、ＮＳＡＩＤｓ含有スプレー剤を用いて、傾斜角度７°、平面からの高さが３ｃｍの斜面に横倒しに設置させたときに、平面に着地してからの転がりにくさをいう。つまり、転がった距離が１０ｃｍ以上の時、「転がった」とし、１０ｃｍ未満の時、「転がらなかった」とした。
【００１４】
図１に示すように、本発明のＮＳＡＩＤｓ含有スプレー剤は、ボトル本体ＡとディスペンサーＢからなっており、ディスペンサーＢは液化ガスや圧縮ガスを使用せずに内容液をミスト状に噴霧可能であり、その上部には、キャップＣを装着することができる。
【００１５】
本発明におけるボトル本体Ａの容量は、特に制限されないが、５０ｍＬ未満であるとボトル本体Ａが小さく手に持った際のフィット感が悪くなり、２００ｍＬを超えると容器がかさばり携帯性に欠くため、５０〜２００ｍＬであることが好ましい。
【００１６】
図２〜３に示すようにボトル本体Ａは、底部１、胴部２、肩部３および首部４からなっており、合成樹脂を基礎樹脂として単層もしくは積層として成形され、底面５から首部４までの高さは特に制限されないが、５０〜２００ｍｍが好ましい。合成樹脂としては、高密度ポリエチレン、低密度ポリエチレンなどのポリエチレン、ポリプロピレン、ポリエステル、ポリスチレンなどが挙げられ、単独または２種以上組み合わせて用いることができる。
【００１７】
図２〜３に示すように底部１は、ボトル本体Ａの着地面となる底面５を構成している。
【００１８】
図２〜３に示すように胴部２は、底部１と肩部３との間にあり、図４〜５に示すように底面５と平行に切断した水平断面が長円形状もしくは略長方形状を形成している。より詳しくは、図４に示すように長円形状の重心を通る長径６および短径７は各々１０〜１００ｍｍ、かつ、長径６と短径７の比が最大で１．１〜１５．０であることが好ましいが、より好ましくは長円形状の重心を通る長径６および短径７は各々２０〜５０ｍｍ、かつ、長径６と短径７の比が最大で１．３〜１０．０である。また、図５に示すように略長方形状の重心を通る長辺８および短辺９は各々１０〜１００ｍｍ、かつ、長辺８と短辺９の比が最大で１．１〜１５．０であることが好ましいが、より好ましくは略長方形状の重心を通る長辺８および短辺９は各々２０〜５０ｍｍ、長辺８と短辺９の比が最大で１．３〜１０．０である。図６〜７に示すように、胴部２のコーナー部１０を丸面取りし、更に外周を１００〜１５０ｍｍの大きさとすることで、手に持った際のボトル本体Ａとのフィット感が向上でき、使用者がボトル本体Ａをより一層持ちやすくさせることができる。
【００１９】
肩部３は胴部２の上部に位置し、図２に示すように胴部２と同一の形状および大きさを有するように形成されている、もしくは図３に示すように、胴部２から首部４にかけて徐々に縮径し、なで肩状に形成されている。肩部３は底部１および胴部２と同様に、全体として長円形状もしくは略長方形状に形成されており、その外周は胴部２より小さく、首部４より大きい。
【００２０】
図２〜３に示すように首部４はボトル本体Ａの上端部に位置し、首部４の外周には、ディスペンサーを着脱可能に構成されたネジ１１が螺設されていてもよい。また、図６〜７に示すように首部４は、上端が開口しており、内容液の供給口として機能する。
【００２１】
本発明のＮＳＡＩＤｓ含有スプレー剤に使用するボトル本体の成形方法としては、ブロー成形法を挙げることができ、ブロー成形を採用することにより、容易に各種形状のボトル本体を自由自在に製造することができる。ここで、ブロー成形法としては、ダイレクトブロー成形、インジェクションブロー成形のいずれを用いてもよい。また、コールドパリソン法、ホットパリソン法のいずれであっても構わない。
【００２２】
本発明におけるディスペンサーＢは、液化ガスや圧縮ガスを使用せずに内容液をミスト状に噴霧できれば形状、構造、材質などは特に制限されないが、エアポンプ式、トリガー式などが挙げられる。好ましくは、ディスペンサー本体が大きくなく携帯性に優れたエアポンプ式である。
【００２３】
本発明におけるディスペンサーＢを１回作動させた際に噴霧される内容液の量は、０．０５ｍＬ未満であると十分な消炎鎮痛効果が得られず、また、０．５ｍＬを超えると過剰投与となり副作用の発現のリスクが高くなるため、０．０５〜０．５ｍＬであることが好ましい。さらに、本発明のＮＳＡＩＤｓ含有スプレー剤は、炎症部位などに使用されるため、ディスペンサーＢを１回作動させた際に、内容液が炎症部位全体に噴霧された方が好ましい。そのため、１０ｃｍ離れた垂直板面にむけて内容液を噴霧した際、その板面における濡れた部分の最大径が５〜３０ｃｍであり、かつ、濡れた部分の面積が、１０〜７００ｃｍ２であることが好ましい。濡れた部分の面積が１０ｃｍ２未満であると所望される範囲に噴霧できず、７００ｃｍ２を超えると所望される範囲以外にも噴霧されて無駄を生じるため好ましくない。また、本発明のＮＳＡＩＤｓ含有スプレー剤は、逆さまの状態で使用される可能性もあるため、ディスペンサーＢは正立状態で噴霧されるだけでなく、倒立状態でも噴霧されることが好ましい。
【００２４】
本発明のＮＳＡＩＤｓ含有スプレー剤に使用されるディスペンサーの成形方法としては、通常行われている方法であれば特に制限されないが、射出成形法、圧縮成形法などの公知の成形方法が適用できる。
【００２５】
本発明に用いるＮＳＡＩＤｓとしては、たとえば、インドメタシン、イブプロフェン、ケトプロフェン、イブプロフェンピコノール、ピロキシカム、アセチルサリチル酸、アスピリン、フェルビナク、アルクロフェナック、クリダナク、サルサラート、ナプロキセン、フェンブフェン、フルフェナム酸、フルルビプロフェン、メチアジン酸、メフェナム酸、ベンダザック、ブフェキサマク、ウフェナマート、ロキソプロフェンおよびこの塩、グリチルレチン酸およびこの塩、サリチル酸メチル、サリチル酸グリコールなどが挙げられ、単独または２種以上組み合わせて用いることができる。ＮＳＡＩＤｓの含量は、内容液の全体に対して、０．０１質量％未満であると十分な消炎鎮痛効果が得られず、また、１０質量％を超えると副作用を発現するリスクが高くなるため、０．０１〜１０質量％であることが好ましいが、より好ましくは０．５〜５質量％である。
【００２６】
本発明に用いる水としては、たとえば、精製水、滅菌水、天然水、常水、注射用水などが挙げられ、単独または２種以上組み合わせて用いることができるが、好ましくは精製水である。
【００２７】
本発明のＮＳＡＩＤｓ含有スプレー剤には、本発明の効果を損なわない範囲で医薬品を製造するにあたって許容される各種成分、すなわち、アルコール、界面活性剤、増粘剤、保湿剤、油性成分、ｐＨ調整剤、キレート剤、香料・清涼化剤、酸化防止剤、防腐剤、吸収促進剤などを適宜配合することができる。
【００２８】
本発明に用いるアルコールとしては、たとえば、エタノール、無水エタノール、各種変性エタノール、ｎ−プロパノール、イソプロパノール、ｎ−ブタノール、イソブタノールなどが挙げられ、単独または２種以上組み合わせて用いることができる。アルコールの含量は、内容液の全体に対して、５質量％未満であるとＮＳＡＩＤｓを十分に溶解または分散させることが困難であり、また、６０質量％を超えると皮膚刺激性が高くなるため、５〜６０質量％であることが好ましいが、より好ましくは１５〜４０質量％である。
【００２９】
界面活性剤としては、たとえば、ポリオキシエチレンアルキルエーテル、ポリオキシエチレンポリプロピレンアルキルエーテルなどのエーテル系化合物、ソルビタン脂肪酸エステル、ポリオキシエチレンソルビタン脂肪酸エステル、グリセリン脂肪酸エステル、ポリグリセリン脂肪酸エステル、ポリオキシエチレングリセリン脂肪酸エステル、ポリエチレングリコール脂肪酸エステル、ショ糖脂肪酸エステルなどのエステル系化合物、ポリオキシエチレンヒマシ油・硬化ヒマシ油、ポリオキシエチレンポリオキシプロピレン重合体などのノニオン界面活性剤、ラウリルジメチルベタインなどのアルキルベタイン、ヤシ油脂肪酸アミドプロピルベタインなどのアルキルアミドベタイン、アルキルスルホベタイン、イミダゾリンなどの両性界面活性剤、飽和高級脂肪酸塩、アルキルスルホン酸塩、アルキルエーテルスルホン酸塩、ポリオキシエチレンアルキルエーテルリン酸塩などのアニオン界面活性剤が挙げられ、単独または２種以上組み合わせて用いることができる。
【００３０】
増粘剤としては、たとえば、ヒドロキシプロピルセルロース、ヒドロキシプロピルメチルセルロース、カルメロース、クロスカルメロース、メチルセルロースなどのセルロース誘導体、部分α化澱粉などの加工澱粉、ポリビニルアルコール、ポリビニルピロリドン、クロスポピドン、ポリエチレングリコール、カルボキシビニルポリマー、アクリル酸・メタクリル酸アルキル共重合体、キサンタンガム、カラギーナン、アルギン酸ナトリウム、アラビアゴム、グアーガム、ローカストビーンガム、プルラン、ゼラチン、ポリアクリル酸ナトリウムなどが挙げられ、単独または２種以上組み合わせて用いることができる。
【００３１】
保湿剤としては、たとえば、エチレングリコール、ジエチレングリコール、プロピレングリコール、ブチレングリコール、ジブチレングリコール、グリセリン、ジグリセリン、ポリグリセリンやショ糖、乳糖、マルロース、マンニトール、エリスリトール、キシリトールなどの糖類および糖アルコールなどが挙げられ、単独または２種以上組み合わせて用いることができる。
【００３２】
油性成分としては、たとえば、パルミトオレインアルコール、オレインアルコール、エイコソニルアルコール、エライジルアルコール、リノレイルアルコールなどの不飽和脂肪族アルコール、オレイン酸、エライジン酸、リノール酸、ウンデシレン酸、ミリストレイン酸、パルミトレイン酸、リンデル酸、ラウロレイン酸、ツズ酸、ペテロセリン酸、バセニン酸、ゴンドイン酸などの不飽和脂肪酸、グリセリンモノオレイン酸エステルグリセリン、ジオレイン酸エステル、オレイン酸オクチルドデシル、オレイン酸オレイルなどの不飽和脂肪酸エステル、オレイルアルコール、エライジルアルコール流動パラフィン、ワセリン、マイクロクリスタリンワックスなどの炭化水素類、メチルポリシロキサン、メチルフェニルポリシロキサン、ジメチルシクロポリシロキサンなどのシリコン油類、ミツロウなどのロウ類、セチルアルコール、ステアリルアルコールなどの高級アルコール類、コレステロールなどのステロール類、オレイン酸オクチルドデシル、オレイン酸オレイル、オクタン酸セチル、ミリスチン酸イソプロピル、ミリスチン酸ミリスチルなどの脂肪酸エステル類、ステアリン酸アルミニウム、ステアリン酸マグネシウムなどの金属石鹸類などが挙げられ、単独または２種以上組み合わせて用いることができる。
【００３３】
ｐＨ調整剤としては、たとえば、酢酸、ギ酸、乳酸、酒石酸、シュウ酸、グリコール酸、リンゴ酸、クエン酸、コハク酸、フマル酸、リン酸、塩酸、硝酸、硫酸およびこれらの塩、水酸化ナトリウム、水酸化カリウム、水酸化カルシウム、アルギニン、メチルアミン、エチルアミン、プロピルアミン、ジメチルアミン、ジエチルアミン、ジプロピルアミン、トリメチルアミン、トリエチルアミン、トリプロピルアミン、モノメタノールアミン、モノエタノールアミン、モノプロパノールアミン、ジメタノールアミン、ジエタノールアミン、ジプロパノールアミン、トリメタノールアミン、トリエタノールアミン、イソプロパノールアミン、ジイソプロパノールアミン、トリプロパノールアミン、アンモニンア水、炭酸グアニジン、炭酸水素ナトリウム、炭酸アンモニウムなどが挙げられ、単独または２種以上組み合わせて用いることができる。
【００３４】
キレート剤としては、たとえば、ピロリン酸、ヘキサメタリン酸、グルコン酸などが挙げられ、単独または２種以上組み合わせて用いることができる。
【００３５】
香料・清涼化剤としては、たとえば、ハッカ油、ハッカハク油、ケイヒ油、チョウジ油、ウイキョウ油、ヒマシ油、テレピン油、ユーカリ油、オレンジ油、ラベンダー油、レモン油、ローズ油、レモングラス油、ダイウイキョウ油、チアミン油、ヘノポジ油、ヤマジン油、トウカ油、ベルガモット油、シトロネラ油、樟脳油、セラニウム油などやローズマリーやセージをはじめとする植物抽出物などの香料、ｌ−メントール、カンフル、チモール、Ｎ−エチル−ｐ−メンタン−カルボキシアミド、ｐ−メンタン−３，８−ジオール、ｌ−イソプレゴール、ｌ−メンチルグリセリルエーテルなどの清涼化剤が挙げられ、単独または２種以上組み合わせて用いることができる。
【００３６】
酸化防止剤としては、たとえば、アスコルビン酸、没食子酸プロピル、ブチルヒドロキシアニソール、ジブチルヒドロキシトルエン、ノルジヒドログアヤレチン酸、トコフェロール、酢酸トコフェロールなどが挙げられ、単独または２種以上組み合わせて用いることができる。
【００３７】
防腐剤としては、たとえば、チモール、イソプロピルメチルフェノール、安息香酸、安息香酸メチル、パラオキシ安息香酸エチル、パラオキシ安息香酸プロピル、パラオキシ安息香酸ブチル、ベンジルアルコール、塩化ベンザルコニウム、塩化ベンゼトニウムなどが挙げられ、単独または２種以上組み合わせて用いることができる。
【００３８】
吸収促進剤としては、たとえば、ジイソプロピルアジペート、レシチン、スクワラン、スクワレン、エイゾン、ｌ−メントール、ポリエチレングリコール、ミリスチン酸イソプロピル、ジメチルスルホキシド、ハッカ油、ユーカリ油、ｄ−リモネン、ｄｌ−リモネンなどが挙げられ、単独または２種以上組み合わせて用いることができる。
【００３９】
本発明のＮＳＡＩＤｓ含有スプレー剤は、従来公知の常法または今後新しく提供される方法で製造することができる。その代表的な方法としては、ＮＳＡＩＤｓ、アルコールを精製水に十分に溶解または分散させ、さらに界面活性剤、増粘剤、保湿剤、油性成分、ｐＨ調整剤、キレート剤、香料・清涼化剤、酸化防止剤、防腐剤、吸収促進剤などを加え、十分に溶解または分散させて、内容液を調製する。調製した内容液を、合成樹脂製のボトル本体と液化ガスや圧縮ガスを使用せずにミスト状に噴霧可能なディスペンサーからなるスプレー容器に充填し、本発明のＮＳＡＩＤｓ含有スプレー剤を製造することができる。
【実施例】
【００４０】
以下に、実施例により更に詳細に本発明を説明するが、本発明は、これに限定されるものではない。
（実施例１）
表１に示す配合に基づき、後述する調製法１の方法により調製し、本発明のＮＳＡＩＤｓ含有スプレー剤１を得た。得られたＮＳＡＩＤｓ含有スプレー剤１を用いて、試験例１に従って転がり試験を実施した結果、４ｃｍとなり、転がらなかった。結果を表２に示す。
【００４１】
【表１】
2017065717.tif 000003
【００４２】
（調製法１）
精製水に、ジイソプロパノールアミン、フェルビナク、エタノール、グリセリンを順次加え、撹拌・溶解して得た内容液を、ポリプロピレンを主成分とし、底面と平行に切断した際の胴部の水平断面が長円形状で、水平断面の重心を通る長径が４８ｍｍ、短径が３１ｍｍ（長径と短径の比が１．５）、外周が１２０ｍｍ、底面から首部までの高さが１４６ｍｍであるボトル本体（本多プラス（株）製、ＮＯＣ−１２０）に１００ｍＬ充填し、液化ガスや圧縮ガスを使用せずにミスト状に噴霧可能なエアポンプ式ディスペンサー（（株）三谷バルブ製、Ｚ−１５５）を装着し、本発明のＮＳＡＩＤｓ含有スプレー剤１を得た。
【００４３】
（試験例１）
転がり試験
前述した実施例１のＮＳＡＩＤｓ含有スプレー剤１、後述する実施例２のＮＳＡＩＤｓ含有スプレー剤２および比較例１のスプレー剤１を用いて、転がり試験を実施した。
各スプレー剤を傾斜角度７°、平面からの高さが３ｃｍの斜面に横倒しに設置した。各スプレー剤が平面に着地してからの転がった距離を測定し、この距離が１０ｃｍ以上の時、「転がった」とし、１０ｃｍ未満の時、「転がらなかった」とした。
【００４４】
【表２】
2017065717.tif 000004
【００４５】
（実施例２）
実施例１において使用するボトル本体を、底面と平行に切断した際の胴部の水平断面が略長方形状（隅が湾曲するＲ長方形状）で、水平断面の重心を通る長辺の長さが４４ｍｍ、短辺の長さが３４ｍｍ（長辺と短辺の比が１．３）、外周が１３０ｍｍ、底面から首部までの高さが１３４ｍｍであるボトル本体（本多プラス（株）製、ＭＲＣ−１２０）とした以外、実施例１と全く同じ調製法を繰り返し、ＮＳＡＩＤｓ含有スプレー剤２を得た。得られたＮＳＡＩＤｓ含有スプレー剤２用いて、試験例１に従って転がり試験を実施した結果、５ｃｍとなり、転がらなかった。結果を表２に示した。
【００４６】
（比較例１）
実施例１において使用するボトル本体を、底面と平行に切断した際の胴部の水平断面が直径３９ｍｍ、外周が１２０ｍｍの真円形で、底面から首部までの高さが１２１ｍｍであるボトル本体（本多プラス（株）製、ＮＣＣ−１００）とした以外、実施例１と全く同じ調製法を繰り返し、スプレー剤１を得た。得られたスプレー剤１を用いて、試験例１に従って転がり試験を実施した結果、８０ｃｍとなり、転がった。結果を表２に示した。
【産業上の利用可能性】
【００４７】
本発明は、ＮＳＡＩＤｓ含有の内容液を、底面と平行に切断した際の胴部の水平断面が長円形状または略長方形状であり、かつ合成樹脂製のボトル本体と液化ガスや圧縮ガスを使用せずに内容液をミスト状に噴霧可能なディスペンサーにより構成されるスプレー容器に充填することで、液化ガスや圧縮ガスを使用せず、容器の腐食が防止でき、容器が転がりにくく、内容液をミスト状に投与できるＮＳＡＩＤｓ含有スプレー剤に関するものであり、産業上十分に利用できるものである。
【符号の説明】
【００４８】
Ａ     ボトル本体
Ｂ     ディスペンサー
Ｃ     キャップ
１     底部
２     胴部
３     肩部
４     首部
５     底面
６     長径
７     短径
８     長辺
９     短辺
１０   コーナー部
１１   ネジ
【図１】
2017065717.tif 000005
【図２】
2017065717.tif 000006
【図３】
2017065717.tif 000007
【図４】
2017065717.tif 000008
【図５】
2017065717.tif 000009
【図６】
2017065717.tif 000010
【図７】
2017065717.tif 000011